(57)【特許請求の範囲】
【請求項１】
遊技機における打止或は特賞のような特定状態の発生回数を各遊技機毎に識別可能に表示するためのパチンコホール用データ表示装置において、
パチンコホールの営業時間帯を示す座標軸及びその座標軸を単位時間帯毎に区分した時刻目盛を前記遊技機の台番号と対応させた状態で表示する表示手段と、
前記遊技機で特定状態が発生する毎に当該遊技機の台番号データ及びその特定状態の発生時刻データを含んで成る集計データを記憶するデータ記憶手段と、
このデータ記憶手段に記憶された集計データに含まれる発生時刻データを前記表示手段の座標軸上での時系列的な位置を示す時系列データに変換するデータ変換手段と、
このデータ変換手段により変換された後の集計データに基づいて前記表示手段の表示内容を制御するように設けられ、その集計データ中の台番号データに対応した座標軸上に当該集計データ中の時系列データと対応するように位置させた指標を表示する制御手段とを備え、
前記制御手段は、前記時刻目盛に対応した単位時間が経過する毎に、前記表示手段に表示する時刻目盛を現在時刻を起点とした状態に更新すると共に、前記座標軸上に表示する指標の位置を前記データ記憶手段に記憶され且つ前記データ変換手段により変換される最新の集計データに対応した位置に変更する制御を行うことを特徴とするパチンコホール用データ表示装置。
【発明の詳細な説明】
【０００１】
【産業上の利用分野】
本発明は、パチンコ遊技機における打止或は特賞のような特定状態の発生状況を遊技客に知らせるためのパチンコホール用データ表示装置に関する。
【０００２】
【従来の技術】
パチンコホ―ルにおいては、多くの遊技客が均等に利益を得られるように、差玉数（アウト玉及びセーフ玉の差）が所定の打止設定値に達したパチンコ遊技機が発生したときには、そのパチンコ遊技機での継続遊技を禁止してこれを打止にすることが行われている。
【０００３】
ところで、パチンコホールの営業当日において一旦打止状態になったパチンコ遊技機は、その後の遊技によって再度打止状態を呈する割合が高いため遊技客の間で人気がある。また、遊技時において特賞状態を呈するパチンコ遊技機、つまり入賞率を極端に高めた状態を所定期間保持するパチンコ遊技機においても、その特賞状態の発生回数が多いものが遊技客の間で人気がある。このため従来より、打止状態及び特賞状態の発生回数を遊技客に知らせることにより、遊技客側の便宜を図るサービスが行われており、このようなサービスのために、パチンコホール内の適宜場所にデータ表示装置を設置することが考えられている。
【０００４】
即ち、この種のデータ表示装置は、例えばＣＲＴディスプレイ及び遊技客が操作する操作パネルを備えたもので、その操作に応じて、パチンコホール内の全遊技機或は所望機種の遊技機毎若しくは任意に指定した特定の遊技機毎の打止発生回数及び特賞発生回数をＣＲＴディスプレイに表示する構成となっている。
【０００５】
【発明が解決しようとする課題】
ところで、パチンコ遊技機で打止状態或は特賞状態が発生する確率は、時間の経過に応じて不規則に変化するという一般的事情があるのに対して、前記従来構成のパチンコホール用データ表示装置では、打止発生回数或は特賞発生回数を単純に表示しているに過ぎないため、このような表示が、遊技対象のパチンコ遊技機の選択の目安として満足できるものとはいえず、この点で遊技客側の便宜を十分に図り得ないという問題点があった。特に、一般的にデジタル機と呼ばれるパチンコ遊技機にあっては、特賞発生の時系列的な頻度に基づいて遊技客側で特賞の発生を予想することが行われているが、従来構成のデータ表示装置では、このような予想も困難であるため、この点でも遊技客側が十分満足できる装置とはいえないものであった。
【０００６】
本発明は上記事情に鑑みてなされたものであり、その目的は、遊技機における打止或は特賞のような特定状態の発生状況を各遊技機毎の時系列的なデータとして自動的に表示することができ、以て上記表示内容を遊技対象の遊技機の選択の目安として十分に機能させることができて遊技客側の利便性を向上させ得るパチンコホール用データ表示装置を提供するにある。
【０００７】
【課題を解決するための手段】
本発明は上記目的を達成するために、遊技機における打止或は特賞のような特定状態の発生回数を各遊技機毎に識別可能に表示するためのパチンコホール用データ表示装置において、パチンコホールの営業時間帯を示す座標軸及びその座標軸を単位時間帯毎に区分した時刻目盛を遊技機の台番号と対応させた状態で表示する表示手段、遊技機で前記特定状態が発生する毎に当該遊技機の台番号データ及びその特定状態の発生時刻データを含んで成る集計データを記憶するデータ記憶手段、このデータ記憶手段に記憶された集計データに含まれる発生時刻データを前記表示手段の座標軸上での時系列的な位置を示す時系列データに変換するデータ変換手段、このデータ変換手段により変換された後の集計データに基づいて前記表示手段の表示内容を制御するように設けられ、その集計データ中の台番号データに対応した座標軸上に当該集計データ中の時系列データと対応するように位置させた指標を表示する制御手段とを備えた上で、前記制御手段を、前記時刻目盛に対応した単位時間が経過する毎に、前記表示手段に表示する時刻目盛を現在時刻を起点とした状態に更新すると共に、前記座標軸上に表示する指標の位置を前記データ記憶手段に記憶され且つ前記データ変換手段により変換される最新の集計データに対応した位置に変更する制御を行う構成としたものである。
【０００９】
【作用】
遊技機において打止或は特賞のような特定状態が発生した場合、当該遊技機の台番号データ及び上記特定状態の発生時刻データを含んで成る集計データがデータ記憶手段に記憶される。データ変換手段は、上記のようにデータ記憶手段に記憶された集計データに含まれる発生時刻データを表示手段が有する座標軸上での時系列的な位置を示す時系列データに変換する。これに応じて、制御手段は、表示手段における上記変換後の集計データ中の台番号データに対応した座標軸上に当該集計データ中の時系列データと対応するように位置させた指標を表示させる。このとき、表示手段が表示する上記座標軸は、パチンコホールの営業時間帯を示すものであり、当該表示手段は、その座標軸を単位時間帯毎に区分した時刻目盛も同時に表示する。以上のような動作が遊技機において特定状態が発生する毎に行われる結果、表示手段には、時系列的に並ぶ指標により特定状態の発生頻度が表示されるようになる。このように時間の経過に応じて不規則に変化する遊技機の特定状態の発生状況が時系列的に表示される結果、その表示は、遊技対象の遊技機の選択の目安として十分に満足できるものとなる。
【００１０】
この場合、前記制御手段は、前記時刻目盛に対応した単位時間が経過する毎に、前記表示手段に表示する時刻目盛を現在時刻を起点とした状態に更新すると共に、前記座標軸上に表示する指標の位置を前記データ記憶手段に記憶され且つ前記データ変換手段により変換される最新の集計データに対応した位置に変更する制御を行うようになるから、表示手段には、遊技機における特定状態の発生状況に関して常に最新のデータが現在時刻から所定時間だけ溯った状態で表示されることになり、その表示の信頼性が高まる。
【００１１】
【実施例】
以下、本発明の一実施例について図面を参照しながら説明する。
【００１２】
図９には、パチンコホール内に設けられるパチンコ遊技機１、集中管理コンピュータ２及び本発明の対象であるデータ表示装置３の電気的な関係が概略的に示されている。
【００１３】
この図９において、パチンコ遊技機１は、アウト玉（打込パチンコ玉）の数を示すアウト玉計数信号Ｐａを出力すると共に、セーフ玉（賞球として放出されるパチンコ玉）の数を示すセーフ玉計数信号Ｐｂを出力し、入賞率を極端に高めた特賞（本発明でいう特定状態）が発生したときに特賞信号Ｓｆを出力する構成となっており、それらの計数信号Ｐａ、Ｐｂ及び特賞信号Ｓｆを集中管理コンピュータ２に与えるように接続されている。
【００１４】
また、パチンコ遊技機１は、集中管理コンピュータ２から後述のようにして出力される打止信号Ｓｚを受けたときに遊技不可能な打止状態に切換えられる構成となっている。
【００１５】
上記集中管理コンピュータ２の中核をなす制御回路４は、パチンコ遊技機１との間で入力回路５及び出力回路６を介して信号の授受を行うと共に、データ表示装置３との間で通信制御回路７を通じてデータの授受を行うようになっており、その端末装置として情報入力用のキーボード８、情報出力用のプリンタ９及びディスプレイ装置１０、外部メモリ１１などを有する。
【００１６】
この場合、上記制御回路４は、パチンコ遊技機１側からのアウト玉数信号Ｐａ及びセーフ玉数信号Ｐｂに基づいてパチンコ遊技機１における差玉数を演算し、その演算結果（遊技客側の獲得パチンコ玉数に相当）が所定の打止設定値に達したときに、当該パチンコ遊技機１に対して打止信号Ｓｚを出力するようになっており、これに応じてパチンコ遊技機１は遊技不能な打止状態に切換えられる。尚、上記打止信号Ｓｚは、出力対象となるパチンコ遊技機１を開放する場合に、キーボード８の操作に応じて出力停止できる構成となっている。
【００１７】
制御回路４は、時計機能を有し、パチンコ遊技機１に対し打止信号Ｓｚを出力する毎に、外部メモリ１１に対して集計データＤＳ１を順次記憶する。尚、この集計データＤＳ１は、上記打止信号Ｓｚの出力対象となったパチンコ遊技機１の台番号データΔＮ及び打止信号Ｓｚの出力時刻（つまりパチンコ遊技機１の打止発生時刻）を示す発生時刻データΔＴと、それらのデータが「打止」に関するものであることを示す種別データΔＦ（＝１）とより成るものである。
【００１８】
また、制御回路４は、パチンコ遊技機１から特賞信号Ｓｆが入力される毎に、外部メモリ１１に対して集計データＤＳ２を順次記憶する。尚、この集計データＤＳ２は、上記特賞信号Ｓｆの発生源となったパチンコ遊技機１の台番号データΔＮ及び特賞信号Ｓｆの入力時刻（つまりパチンコ遊技機１での特賞発生時刻）を示す発生時刻データΔＴと、それらのデータが「特賞」に関するものであることを示す種別データΔＦ（＝０）とより成るものである。
【００１９】
そして、制御回路４は、データ表示装置３から後述のようなデータ送信要求があったときには、上述のようにして外部メモリ１１に記憶した集計データＤＳ１、ＤＳ２のうち、そのデータ送信要求を受けた時点から例えば１０分間だけ遡った期間に記憶したデータを通信制御回路７を通じてデータ表示装置３へ送信する構成となっている。
【００２０】
さて、上記データ表示装置３は、パチンコホール内の適宜場所に遊技客が操作及び目視できるように設置されるものであり、以下これについて説明する。
【００２１】
データ表示装置３の電気的構成の概略を示す図１において、通信制御回路１２は、集中管理コンピュータ２側の通信制御回路７と間でのデータ授受を行うためのもので、内部にデータ記憶手段としての受信データバッファ１２ａを有する。メモリ１３は、変換データバッファ１３ａ、表示エリア指定メモリ１３ｂ及び履歴データメモリ１３ｃを有する。
【００２２】
表示手段としてのＣＲＴディスプレイ１４は、例えば図２に示すような表示を行うために設けられている。即ち、図２に示す表示例では、ＣＲＴディスプレイ１４には、パチンコ遊技機１の機種を表示するための機種名表示エリア１４ａ、パチンコ遊技機１の台番号を表示する複数の台番号表示エリア１４ｂ、これら台番号表示エリア１４ｂと１対１で対応するように設けられた帯状の座標軸１４ｃ、各座標軸１４ｃの共通目盛部１４ｄ、種々のメッセージを文字表示するためのメッセージ表示欄１４ｅが設定されている。
【００２３】
この場合、上記共通目盛部１４ｄは、パチンコホールの営業時間帯に対応した例えば１２時間分の時刻目盛ａ１  〜ａ１２、並びにその時刻目盛ａ１  〜ａ１２に表示された時刻が「前日」、「当日」の何れであるか示す日付目盛ｂ１  、ｂ２  を備えたものである。つまり、時刻目盛ａ１  〜ａ１２は、座標軸１４ｃを１時間（本発明でいう単位時間帯に相当）毎に区分した状態で表示される。また、上記日付目盛ｂ１  、ｂ２  の幅は対応する時刻目盛ａ１  〜ａ１２の表示内容に応じて零から最大幅まで変化する。また、上記座標軸１４ｃには、パチンコ遊技機１の打止状態或は特賞状態の発生タイミングを示す縦線状の指標Ｑが表示されるものであるが、その指標Ｑの表示色及びこれに対応した前記共通目盛部１４ｄの表示色は、前日対応分と当日対応分とで異なるように設定されている。
【００２４】
図１に翻って、本発明でいうデータ変換手段及び制御手段の両機能を備えた制御回路１５は、マイクロコンピュータを含んで構成されたもので、上記通信制御回路１２、メモリ１３及びＣＲＴディスプレイ１４の制御を、キーボード１６からの操作信号及び予め記憶したプログラムに基づいて行うようになっており、以下においては、制御回路１５による制御内容のうち本発明の要旨に関係した部分について、関連した作用と共に説明する。
【００２５】
図３には制御回路１５による制御内容が示されている。この図３において、制御回路１５は、電源投入された後にはＣＲＴディスプレイ１４に対し所定のタイトル画面を表示させ（ステップＡ１）、現在時刻が予め設定したデータ読み込み時刻（例えば毎正時及び１０分刻みの各時刻、つまり毎時００分、１０分、２０分、３０分、４０分、５０分）になったか否かを判断し（ステップＡ２）、「ＹＥＳ」と判断したときには通信処理ルーチンＡ３を実行する。
【００２６】
この通信処理ルーチンＡ３の具体的内容は図４のようになっている。つまり、図４において、上記通信処理ルーチンＡ３に移行したときには、まず、データ要求ルーチンＢ１を実行する。このルーチンＢ１では、通信制御回路１２を通じて集中管理コンピュータ２側へデータ送信要求を送信すると共に、集中管理コンピュータ２側からの返信データの受信が完了したときに初めて次のステップＢ２へ移行する。
【００２７】
ここで、集中管理コンピュータ２側の制御回路４は、上記データ送信要求を受けたときに、その時点から１０分間だけ遡った期間において外部メモリ１１に記憶した集計データＤＳ１、ＤＳ２（これらは前述したように台番号データΔＮ、発生時刻データΔＴ、種別データΔＦより成る）をデータ表示装置３側へ返信するものであり、このような返信データＤＳ１、ＤＳ２は、データ表示装置３側の通信制御回路１２により受信されて内部の受信データバッファ１２ａに図５に示すようなテーブルで一括して更新記憶される。尚、受信データバッファ１２ａ中では、集計データＤＳ１、ＤＳ２の区別は種別データΔＦ（パチンコ遊技機１１での打止に関係した集計データＤＳ１の場合は「１」、特賞に関係した集計データＤＳ２の場合は「０」）に基づいて行われる。
【００２８】
上述のようなデータ要求ルーチンＢ１に引き続いて行われる前記ステップＢ２では、受信データバッファ１２ａの記憶データを１ブロック分（台番号データΔＮ、発生時刻データΔＴ、種別データΔＦの１組分）だけ読み込むものであり、この後には、データ変換処理ルーチンＢ３を実行する。
【００２９】
このルーチンＢ３では、上記のように読み込んだ１ブロック分の記憶データに含まれる発生時刻データΔＴを、ＣＲＴディスプレイ１４の座標軸１４ｃ上での時系列的な位置を示す時系列データΔＸに変換するものであり、これに引き続くステップＢ４では、上記変換後の時系列データΔＸを含む集計データＤＳ１或はＤＳ２を、メモリ１３の変換データバッファ１３ａに対し図６に示すようなテーブルで記憶させる。
【００３０】
この時系列データΔＸは、ブロックコードＣＢとエリアコードＣＥとより成るものであり、その具体的な内容について説明しておく。つまり、ブロックコードＣＢは、ＣＲＴディスプレイ１４に設定された共通目盛部１４ｄにおける１２時間分の時刻目盛ａ１  〜ａ１２に夫々対応して１２種類（「０１」〜「１２」）設けられるものである。また、エリアコードＣＥは、上記各時刻目盛ａ１〜ａ１２をさらに１２分割した１２個の指標表示エリア（座標軸１４ｃの５分間に相当）に夫々対応された状態で１２種類（「０１」〜「１２」）設けられるものである。従って、これらのブロックコードＣＢ及びエリアコードＣＥを組み合わせて成る時系列データΔＸは、前記座標軸１４ｃ上での時系列的な位置を示し得るようになる。
【００３１】
上記のようなデータ読み込みステップＢ２、データ変換処理ルーチンＢ３及びデータ記憶ステップＢ４は、発生時刻データΔＴの時系列データΔＸへの変換処理が、受信データバッファ１２ａに一括して記憶された集計データＤＳ１、ＤＳ２の全部について行われるまで継続するものであり（ステップＢ５）、このような変換処理が全て済んだ後には、履歴データ書換ルーチンＢ６を実行した後にリターンする。
【００３２】
上記履歴データ書換ルーチンＢ６では、メモリ１３内の履歴データメモリ１３ｃに記憶されている履歴データΣＳ中に、前記変換データバッファ１３ａの記憶データに移植するものである。ここで、上記履歴データΣＳの記憶テーブルは図７に示す状態となっている。即ち、履歴データメモリ１３ｃには、履歴データΣＳに含まれる台番号データΔＮ、種別データΔＦを記憶する記憶エリアが設けられていると共に、前述した時系列データΔＸの各ブロックコードＣＢに対応したエリアコードＣＥを、その種類（１２×１２＝１４４）に割り振った状態の合計１４４個の単位記憶エリアが設けられており、これら単位記憶エリアにおける対応位置（台番号データΔＮと対応した時系列データΔＸにより示される位置）に信号「１」を書き込むものである。尚、図７に示した機種コードＣＫは、例えば、台番号データΔＮに対応した状態で別途に記憶された機種データに基づいて自動付与されるものである。
【００３３】
尚、図４中には示さなかったが、通信処理ルーチンＡ３の実行期間中には、ＣＲＴディスプレイ１４のメッセージ欄１４ｅに対し、例えば「しばらくお待ちください」或は「待機中」のような文字表示を行うことにより、キーボード３の操作が無効である旨を報知するようになっている。
【００３４】
図３に翻って、前記通信処理ルーチンＡ３からリターンしたとき、並びに前記ステップＡ２で「ＮＯ」と判断したときには、キーボード１６を通じて表示指令操作が行われたか否かを判断する（ステップＡ４）。ここで「ＹＥＳ」と判断した場合、内部タイマのタイマ動作中が行われている状態ではタイマ動作を一旦リセットした後にタイマ動作を再開させ、内部タイマのタイマ動作中が停止している状態ではそのタイマ動作を新規に開始させ（ステップＡ５、Ａ６、Ａ７）、この後に表示処理ルーチンＡ８へ移行する。尚、上記内部タイマは、後述の説明から明らかなように、キーボード１６の操作が所定の上限時間Ｔｍａｘ  時間以上継続して行われなかった場合に、ＣＲＴディスプレイ１４をタイトル画面表示状態に戻すためのものであり、その上限時間Ｔｍａｘ  は例えば１分に設定されている。
【００３５】
表示処理ルーチンＡ８では、パチンコ遊技機１における特賞及び打止発生状況に関するデータである前記履歴データΣＳのうち、キーボード１６により指定されたデータをＣＲＴディスプレイ１４に表示させる制御を行うものである。
【００３６】
このとき、キーボード１６を通じて例えば機種及び特賞データが指定された場合には、履歴データメモリ１３ｃに記憶された履歴データΣＳ中から、機種コードＣＫ及び種別データΔＦ（＝０）が合致するデータを読み出し、このように読み出した履歴データΣＳ中の台番号データΔＮをＣＲＴディスプレイ１４の台番号表示エリア１４ｂに表示すると共に、ＣＲＴディスプレイ１４の座標軸１４ｃに対して上記台番号データΔＮに対応した時系列データΔＸにより示される位置に指標Ｑを表示する（図２参照）。尚、機種の指定が行われたときには、指定された機種名をＣＲＴディスプレイ１４の機種名表示エリア１４ａに表示する。
【００３７】
また、キーボード１６を通じて台番号及び特賞データが指定された場合には、履歴データΣＳ中から、指定された台番号と台番号データΔＮが合致するデータを読み出し、このように読み出した履歴データΣＳ中を上述同様に表示するものであり、特賞データに代わって打止データが指定された場合には、履歴データΣＳ中から、種別データΔＦ（＝１）が合致するデータを読み出して、その読み出し履歴データΣＳ中の時系列データΔＸを上述同様に表示するものである。
【００３８】
尚、上記のような表示処理ルーチンＡ８では、指標Ｑによる表示内容がパチンコ遊技機１の特賞に関するものであった場合に、ＣＲＴディスプレイ１４のメッセージ欄１４ｅに「特賞台データ」の文字表示が行われ、上記表示内容がパチンコ遊技機１の打止に関するものであった場合に、上記メッセージ欄１４ｅに「打止台データ」の文字表示が行われるようになっている。
【００３９】
表示処理ルーチンＡ８の実行後、並びに前記ステップＡ４で「ＮＯ」と判断したときには、内部タイマのタイマ動作時間が上限時間Ｔｍａｘ  （１分間）に到達したか否かを判断し（ステップＡ９）、「ＹＥＳ」の場合には当該内部タイマのタイマ動作を停止し（ステップＡ１０）、タイトル画面を表示する状態（ステップＡ１）に戻る。
【００４０】
内部タイマのタイマ動作時間が上限時間Ｔｍａｘ  に到達していない状態では、現在時刻がパチンコホールの開店時刻（例えば午前１０時）に達したか否かを判断し（ステップＡ１１）、「ＹＥＳ」の場合にはメモリ１３の表示エリア指定メモリ１３ｂにフラグＦを立てるステップＡ１２を実行する。
【００４１】
ここで、上記表示エリア指定メモリ１３ｂは、図８に示すように、ＣＲＴディスプレイ１４の共通目盛部１４ｄが有する１２時間分の時刻目盛ａ１  〜ａ１２に対応した１２個の記憶ブロックを備えており、各記憶ブロックには上記時刻目盛ａ１  〜ａ１２に表示するための時刻データΔＨを記憶するための記憶エリアと、共通目盛部１４ｄの日付目盛ｂ１  、ｂ２  に「前日」の文字を表示するか「当日」の文字を表示するかを決定するフラグＦを記憶するための記憶エリアが設けられている。尚、この場合、フラグＦが「１」の状態では「前日」の文字、フラグＦが「０」の状態では「当日」の文字が表示されることになる。
【００４２】
しかして、ステップＡ１２では、表示エリア指定メモリ１３ｂの全ての記憶ブロックにフラグＦを立てるものであり、これにより共通目盛部１４ｄの時刻目盛ａ１  〜ａ１２には「前日」の文字表示を行う日付目盛ｂ１  が対応されることになる。
【００４３】
ステップＡ１２の実行後、及び前記ステップＡ１１で「ＮＯ」と判断したときには、現在時刻がパチンコホールの営業時間帯（例えば午前１０時〜午後９時）であるか否かを判断し（ステップＡ１３）、「ＮＯ」の場合にはステップＡ２へ戻るが、「ＹＥＳ」の場合には現在時刻が毎正時か否かを判断する（ステップＡ１４）。ここで「ＮＯ」と判断した場合にはステップＡ２へ戻るが、「ＹＥＳ」と判断した場合には、表示エリア指定メモリ１３ｂの各記憶ブロックの時刻データΔＨを１時間相当値だけ進むようにシフトすると共に、新たに加わった時刻データΔＨに対応した記憶ブロックのフラグＦを下ろすという時刻データΔＨ変更ステップＡ１５を実行し、この後にステップＡ２へ戻る。つまり、時刻目盛ａ１  〜ａ１２に対応した単位時間（１時間）が経過する毎に、その時刻目盛ａ１  〜ａ１２が現在時刻を起点とした状態に更新されると共に、座標軸１４ｃ上に表示される指標Ｑの位置が最新の集計データ（ＤＳ１若しくはＤＳ２）に対応した位置に変更されるものである。
【００４４】
以上のような制御が行われる結果、データ表示装置３のＣＲＴディスプレイ１４には、キーボード１６を通じて指定されたパチンコ遊技機１における特賞発生時刻或は打止発生時刻が、そのパチンコ遊技機１の台番号に対応した座標軸１４ｃ上に時系列的に並ぶ指標Ｑとして表示されるものである。つまり、時間の経過に応じて不規則に変化するパチンコ遊技機１の特賞発生状況或は打止発生状況が時系列的に表示されるものであり、このような表示を遊技対象のパチンコ遊技機１を選択する上での目安として十分に役立て得るようになる。
【００４５】
また、上記のような表示は、毎正時になる毎に新たなデータに基づいたものに順次変更される構成、つまり、時刻目盛ａ１  〜ａ１２に対応した単位時間（１時間）が経過する毎に、その時刻目盛ａ１  〜ａ１２が現在時刻を起点とした状態に更新されると共に、座標軸１４ｃ上に表示される指標Ｑの位置が最新の集計データ（ＤＳ１若しくはＤＳ２）に対応した位置に変更されるものであるから、パチンコ遊技機１おける特賞発生状況或は打止発生状況に関して常に最新のデータが得られることになり、その表示の信頼性が高まることになる。
【００４６】
【発明の効果】
以上の説明によって明らかなように、本発明のパチンコホール用データ表示装置では、パチンコホールの営業時間帯を示す座標軸及びその座標軸を単位時間帯毎に区分した時刻目盛を遊技機の台番号と対応させた状態で表示する表示手段に対して、遊技機における打止或は特賞のような特定状態の発生状況を各遊技機毎の時系列的なデータとして自動的に表示することができるようになるから、上記表示内容を遊技対象の遊技機の選択の目安として十分に機能させることができて遊技客側の利便性を向上させ得るという優れた効果を奏するものであり、また、上記表示手段に対し遊技機における特定状態の発生状況に関して常に最新のデータが表示されることになるから、その表示の信頼性を向上させ得るものである。
【図面の簡単な説明】
【図１】本発明の一実施例におけるデータ表示装置の電気的構成を示す機能ブロック図
【図２】ＣＲＴディスプレイの表示例を示す図
【図３】データ表示装置の制御回路による制御内容を示すフローチャートその１
【図４】データ表示装置の制御回路による制御内容を示すフローチャートその２
【図５】受信データバッファの記憶テーブルを示す図
【図６】変換データバッファの記憶テーブルを示す図
【図７】履歴データメモリの記憶テーブルを示す図
【図８】表示エリア指定メモリの記憶テーブルを示す図
【図９】集中管理コンピュータの電気的構成を示す機能ブロック図
【符号の説明】
図面中、１はパチンコ遊技機、２は集中管理コンピュータ、３はデータ表示装置、１２は通信制御回路、１２ａは受信データバッファ（データ記憶手段）、１３はメモリ、１３ａは変換データバッファ、１３ｂは表示エリア指定メモリ、１３ｃは履歴データメモリ、１４はＣＲＴディスプレイ（表示手段）、１４ａは機種名表示エリア、１４ｂは台番号表示エリア、１４ｃは座標軸、１４ｄは共通目盛部、Ｑは指標、１５は制御回路（データ変換手段、制御手段）を示す。
【図１】
0003576568.tif 000002
【図２】
0003576568.tif 000003
【図３】
0003576568.tif 000004
【図４】
0003576568.tif 000005
【図５】
0003576568.tif 000006
【図６】
0003576568.tif 000007
【図７】
0003576568.tif 000008
【図８】
0003576568.tif 000009
【図９】
0003576568.tif 000010